(57)【特許請求の範囲】
【請求項１】
周方向に並んだ複数の第１動翼（32,112）を有する第１インペラ（30,110）と、
前記第１インペラ（30,110）と同軸に設けられ、周方向に並んだ複数の第２動翼（42,132）を有する第２インペラ（40,130）とを備え、
前記第１インペラ（30,110）及び前記第２インペラ（40,130）が双方向に回転可能な軸流ファン（10,100）であって、
各前記第１動翼（32,112）の周方向断面形状は、前記第２動翼（42,132）側に凸状になっており、
各前記第２動翼（42,132）の周方向断面形状は、前記第１動翼（32,112）側に凸状になっている
ことを特徴とする軸流ファン。
【請求項２】
請求項１において、
各前記第１動翼（32,112）の周方向断面形状は、一端部の曲率半径（R1）が他端部の曲率半径（R2）よりも大きく、且つ、軸方向において一端部が他端部よりも前記第２動翼（42,132）側に位置しており、
各前記第２動翼（42,132）の周方向断面形状は、一端部の曲率半径（R1）が他端部の曲率半径（R2）よりも大きく、且つ、軸方向において一端部が他端部よりも前記第１動翼（32,112）側に位置している
ことを特徴とする軸流ファン。
【請求項３】
請求項１又は２において、
前記第１動翼（32,112）の数と、前記第２動翼（42,132）の数とは、互いに等しい
ことを特徴とする軸流ファン。
【請求項４】
請求項１〜３のいずれか１項において、
前記第１動翼（32）の形状と、前記第２動翼（42）の形状とは、互いに同じであり、
前記第１動翼（32）の翼弦線（33）と、前記第２動翼（42）の翼弦線（43）とは、任意の周方向断面において互いに平行である
ことを特徴とする軸流ファン。
【請求項５】
請求項１〜３のいずれか１項において、
前記第１動翼（112）の翼弦線（113）と前記第２動翼（132）の翼弦線（133）とは、軸方向に垂直な面に対して互いに異なる向きに傾斜し、
前記第１インペラ（110）と前記第２インペラ（130）とは、互いに逆方向に回転する
ことを特徴とする軸流ファン。
【請求項６】
請求項５において、
前記第１インペラ（110）と前記第２インペラ（130）とは、互いに鏡面対称な形状を持つ
ことを特徴とする軸流ファン。
【請求項７】
請求項５又は６において、
前記第１インペラ（110）と前記第２インペラ（130）とは、互いに異なる回転数で回転する
ことを特徴とする軸流ファン。
【請求項８】
請求項７において、
前記第１インペラ（110）及び前記第２インペラ（130）のうち上流側に位置するインペラの方が、下流側に位置するインペラよりも小さい回転数で回転する
ことを特徴とする軸流ファン。
【請求項９】
請求項５〜８のいずれか１項において、
前記第１インペラ（110）及び前記第２インペラ（130）のそれぞれに対して、別体のモータ（120,140）が同軸上に設けられる
ことを特徴とする軸流ファン。
【発明の詳細な説明】
【技術分野】
【０００１】
本開示は、軸流ファンに関するものである。
【背景技術】
【０００２】
従来より、双方向に回転可能な２つのインペラを備えた軸流ファンが知られている（例えば、特許文献１）。特許文献１の軸流ファンにおいては、２つのインペラが一方向に回転することで軸方向一方側に向かう空気流れを生成することができる。また、２つのインペラが他方向に回転することで軸方向他方側に向かう空気流れを生成することができる。
【先行技術文献】
【特許文献】
【０００３】
【特許文献１】特開２００７−２４７５０１号公報
【発明の概要】
【発明が解決しようとする課題】
【０００４】
ところで、前記のように２つのインペラを備える軸流ファンでは、風上側（上流側）のインペラが生成する空気流れが風下側（下流側）のインペラと干渉することで音が発生することがある。そのような音を低減することが望まれる。
【０００５】
本開示の目的は、２つのインペラを備える軸流ファンで発生する音を抑制することにある。
【課題を解決するための手段】
【０００６】
本開示の第１の態様は、周方向に並んだ複数の第１動翼（32,112）を有する第１インペラ（30,110）と、前記第１インペラ（30,110）と同軸に設けられ、周方向に並んだ複数の第２動翼（42,132）を有する第２インペラ（40,130）とを備え、前記第１インペラ（30,110）及び前記第２インペラ（40,130）が双方向に回転可能な軸流ファン（10,100）を対象とする。各前記第１動翼（32,112）の周方向断面形状は、前記第２動翼（42,132）側に凸状になっており、各前記第２動翼（42,132）の周方向断面形状は、前記第１動翼（32,112）側に凸状になっている。
【０００７】
第１の態様では、風上側のインペラ（30,40,110,130）により生成された空気流れが風下側のインペラ（30,40,110,130）に干渉することに起因する音が生じにくい。換言すると、軸流ファン（10,100）で発生する音を抑制することができる。
【０００８】
本開示の第２の態様は、前記第１の態様において、各前記第１動翼（32,112）の周方向断面形状は、一端部の曲率半径（R1）が他端部の曲率半径（R2）よりも大きく、且つ、軸方向において一端部が他端部よりも前記第２動翼（42,132）側に位置しており、各前記第２動翼（42,132）の周方向断面形状は、一端部の曲率半径（R1）が他端部の曲率半径（R2）よりも大きく、且つ、軸方向において一端部が他端部よりも前記第１動翼（32,112）側に位置していることを特徴とする。
【０００９】
第２の態様では、軸流ファン（10,100）で発生する音をより一層抑制することができる。
【００１０】
本開示の第３の態様は、前記第１又は第２の態様において、前記第１動翼（32,112）の数と、前記第２動翼（42,132）の数とは、互いに等しいことを特徴とする。
【００１１】
第３の態様では、両インペラ（30,40,110,130）により一方向の空気流れが生じる場合の軸流ファン（10,100）の性能と、両インペラ（30,40,110,130）により他方向の空気流れが生じる場合の軸流ファン（10,100）の性能とを、互いに実質的に等しくしやすい。
【００１２】
本開示の第４の態様は、前記第１〜第３の態様のいずれか１つにおいて、前記第１動翼（32）の形状と、前記第２動翼（42）の形状とは、互いに同じであり、前記第１動翼（32）の翼弦線（33）と、前記第２動翼（42）の翼弦線（43）とは、任意の周方向断面において互いに平行であることを特徴とする。
【００１３】
第４の態様では、両インペラ（30,40）が一方向に回転する場合の軸流ファン（10）の性能と、両インペラ（30,40）が他方向に回転する場合の軸流ファン（10）の性能とを、互いに実質的に等しくしやすい。
【００１４】
本開示の第５の態様は、前記第１〜第３の態様のいずれか１つにおいて、前記第１動翼（112）の翼弦線（113）と前記第２動翼（132）の翼弦線（133）とは、軸方向に垂直な面に対して互いに異なる向きに傾斜し、前記第１インペラ（110）と前記第２インペラ（130）とは、互いに逆方向に回転することを特徴とする。
【００１５】
第５の態様では、上流側の動翼（112,132）は、凸面側に回転し、下流側の動翼（112,132）は、上流側の動翼（112,132）に対して逆方向に回転する。このため、上流側の動翼（112,132）の後流が下流側の動翼（112,132）に対する予旋回流れとなるので、インペラ（110,130）の回転数を下げることができ、さらなる低騒音化を実現できる。
【００１６】
本開示の第６の態様は、前記第５の態様において、前記第１インペラ（110）と前記第２インペラ（130）とは、互いに鏡面対称な形状を持つことを特徴とする。
【００１７】
第６の態様では、両インペラ（110,130）により一方向の空気流れが生じる場合の軸流ファン（100）の性能と、両インペラ（110,130）により他方向の空気流れが生じる場合の軸流ファン（100）の性能とを、互いに実質的に等しくしやすい。
【００１８】
本開示の第７の態様は、前記第５又は第６の態様において、前記第１インペラ（110）と前記第２インペラ（130）とは、互いに異なる回転数で回転することを特徴とする。
【００１９】
第７の態様では、第１動翼（112）の数と第２動翼（132）の数とが異なる場合や、第１動翼（112）の形状と第２動翼（132）の形状とが異なる場合に、両インペラ（110,130）により一方向の空気流れが生じる場合の軸流ファン（100）の性能と、両インペラ（110,130）により他方向の空気流れが生じる場合の軸流ファン（100）の性能とを互いに実質的に等しくすることができる。
【００２０】
本開示の第８の態様は、前記第７の態様において、前記第１インペラ（110）及び前記第２インペラ（130）のうち上流側に位置するインペラの方が、下流側に位置するインペラよりも小さい回転数で回転することを特徴とする。
【００２１】
第８の態様では、上流側のインペラ（110,130）が生成する空気流れが、下流側のインペラ（110,130）と干渉する度合いを低減できるので、さらなる低騒音化を実現できる。
【００２２】
本開示の第９の態様は、前記第５〜第８の態様のいずれか１つにおいて、前記第１インペラ（110）及び前記第２インペラ（130）のそれぞれに対して、別体のモータ（120,140）が同軸上に設けられることを特徴とする。
【００２３】
第９の態様では、第１インペラ（110）と第２インペラ（130）とを互いに異なる回転数で回転させることが容易になる。
【図面の簡単な説明】
【００２４】
【図１】図１は、実施形態１の軸流ファンの構成を示す側面図である。
【図２】図２は、実施形態１の軸流ファンにおける第１インペラの平面図又は第２インペラの底面図である。
【図３】図３は、図２のIII−III線に沿った動翼の端面図である。
【図４】図４は、実施形態２の軸流ファンの構成を示す側面図である。
【図５】図５は、実施形態２の軸流ファンにおける第１インペラの平面図である。
【図６】図６は、実施形態２の軸流ファンにおける第２インペラの平面図である。
【図７】図７は、図５及び図６のVII−VII線に沿った動翼の端面図である。
【図８】図８は、実施形態２の軸流ファンにおいて上流側の動翼の後流が下流側の動翼に対する予旋回流れとなる様子を示す図である。
【図９】図９は、実施形態２の軸流ファンにおける予旋回流れの効果を示す図である。
【発明を実施するための形態】
【００２５】
（実施形態１）
実施形態１について説明する。本実施形態の軸流ファン（10）は、双方向回転型の軸流ファンであって、回転軸線（O）の軸方向の両側へ空気を吹き出す。軸流ファン（10）は、例えば、吸排気可能な換気装置（図示せず）に設けられる。ただし、軸流ファン（10）の用途は、これに限らない。
【００２６】
以下の説明において、「軸方向」とは、回転軸線（O）の方向のことである。「径方向」とは、軸方向と直交する方向のことである。「周方向」とは、回転軸線（O）周りの方向のことである。「外周側」とは、回転軸線（O）からより遠い側のことである。「内周側」とは、回転軸線（O）により近い側のことである。
【００２７】
図１に示すように、軸流ファン（10）は、ケーシング（20）と、モータ（21）と、第１インペラ（30）と、第２インペラ（40）とを備える。
【００２８】
ケーシング（20）は、回転軸線（O）の軸方向（図１における上下方向）に延びる筒状に形成される。ケーシング（20）の内周壁は、回転軸線（O）を中心とする円筒面状になっている。ケーシング（20）は、モータ（21）、第１インペラ（30）、及び第２インペラ（40）を収容する。
【００２９】
モータ（21）は、第１インペラ（30）及び第２インペラ（40）を回転駆動する。モータ（21）は、周方向に並んで複数設けられた板状の支持ステー（23）を介してケーシング（20）の内周壁に固定される。モータ（21）は、軸方向に延びる駆動軸（22）を有する。駆動軸（22）の一端部（図１における上端部）は、第１インペラ（30）に接続される。駆動軸（22）の他端部（図１における下端部）は、第２インペラ（40）に接続される。
【００３０】
第１インペラ（30）は、回転軸線（O）を中心として回転可能である。図１及び図２に示すように、第１インペラ（30）は、第１動翼ハブ（31）と、複数（この例では、５つ）の第１動翼（32）とを備える。
【００３１】
第１動翼ハブ（31）は、モータ（21）の駆動軸（22）の一端部に接続され、回転軸線（O）を中心として回転駆動される。
【００３２】
複数の第１動翼（32）は、第１動翼ハブ（31）の外周に設けられ、所定の間隔をおいて周方向に配列される。具体的に、複数の第１動翼（32）は、板状に形成され、第１動翼ハブ（31）の外周面から径方向外側へ突出している。換言すると、複数の第１動翼（32）は、第１動翼ハブ（31）から径方向外側へ放射状に延びている。複数の第１動翼（32）の外周面は、回転軸線（O）を包囲する円筒面状（具体的には、回転軸線（O）を中心として軸方向に延びる円筒面状）に形成される。
【００３３】
各第１動翼（32）は、軸方向に空気が搬送されるように、その翼弦線（33）が周方向（第１インペラ（30）の回転方向）に対して傾斜した状態で、径方向外側から見て回転軸線（O）の周方向に対して反時計回りに傾斜している（図１及び図３を参照）。このため、第１インペラ（30）が上方から見て時計回り方向（図３における左方向）に回転すると、第１インペラ（30）の下側から上側へ向けて空気が搬送される。一方、第１インペラ（30）が上方から見て反時計回り方向（図３における右方向）に回転すると、第１インペラ（30）の上側から下側へ向けて空気が搬送される。
【００３４】
第２インペラ（40）は、回転軸線（O）を中心として回転可能である。図１及び図２に示すように、第２インペラ（40）は、第２動翼ハブ（41）と、複数（この例では、５つ）の第２動翼（42）とを備える。
【００３５】
第２動翼ハブ（41）は、モータ（21）の駆動軸（22）の他端部に接続され、回転軸線（O）を中心として回転駆動される。
【００３６】
複数の第２動翼（42）は、第２動翼ハブ（41）の外周に設けられ、所定の間隔をおいて周方向に配列される。具体的に、複数の第２動翼（42）は、板状に形成され、第２動翼ハブ（41）の外周面から径方向外側へ突出している。換言すると、複数の第２動翼（42）は、第２動翼ハブ（41）から径方向外側へ放射状に延びている。複数の第２動翼（42）の外周面は、回転軸線（O）を包囲する円筒面状（具体的には、回転軸線（O）を中心として軸方向に延びる円筒面状）に形成される。
【００３７】
各第２動翼（42）は、軸方向に空気が搬送されるように、その翼弦線（43）が周方向（第２インペラ（40）の回転方向）に対して傾斜した状態で、径方向外側から見て回転軸線（O）の周方向に対して反時計回りに傾斜している（図１及び図３を参照）。このため、第２インペラ（40）が上方から見て時計回り方向（図３における左方向）に回転すると、第２インペラ（40）の下側から上側へ向けて空気が搬送される。一方、第２インペラ（40）が上方から見て反時計回り方向（図３における右方向）に回転すると、第２インペラ（40）の上側から下側へ向けて空気が搬送される。
【００３８】
−各動翼の形状−
図２及び図３を参照して、各第１動翼（32）及び各第２動翼（42）の形状について説明する。
【００３９】
ここで、図２は、第１インペラ（30）の平面図であると同時に、第２インペラ（40）の底面図でもある。換言すると、第１インペラ（30）と第２インペラ（40）とは、互いに形状が同じであり、かつ互いに上下を反転させた状態で軸流ファン（10）に設けられている。
【００４０】
図２に示すように、各第１動翼（32）は、平面視で概ね扇状に形成される。平面視において、周方向に隣り合う第１動翼（32）の間には、所定の隙間が形成される。各第２動翼（42）は、底面視で概ね扇状に形成される。底面視において、周方向に隣り合う第２動翼（42）の間には、所定の隙間が形成される。
【００４１】
図３に示すように、第１動翼（32）の周方向断面形状は、第２動翼（42）側（図３における下側）に凸状の湾曲形状になっている。第１動翼（32）の周方向断面形状は、一端部（図３における左端部）の曲率半径（R1）が、他端部（図３における右端部）の曲率半径（R2）よりも大きい。第１動翼（32）の周方向断面形状は、軸方向において一端部が他端部よりも第２動翼（42）側（図３における下側）に位置している。
【００４２】
図３に示すように、第２動翼（42）の周方向断面形状は、第１動翼（32）側（図３における上側）に凸状の湾曲形状になっている。第２動翼（42）の周方向断面形状は、一端部（図３における右端部）の曲率半径（R1）が、他端部（図３における左端部）の曲率半径（R2）よりも大きい。第２動翼（42）の周方向断面形状は、軸方向において一端部が他端部よりも第１動翼（32）側（図３における上側）に位置している。
【００４３】
以上のように、第１動翼（32）の形状と、第２動翼（42）の形状とは、互いに同じである。第１動翼（32）の翼弦線（33）と、第２動翼（42）の翼弦線（43）とは、図３に示す周方向断面を含む任意の周方向断面において、互いに平行である。
【００４４】
−実施形態１の効果−
本実施形態の軸流ファン（10）は、周方向に並んだ複数の第１動翼（32）を有する第１インペラ（30）と、前記第１インペラ（30）と同軸に設けられ、周方向に並んだ複数の第２動翼（42）を有する第２インペラ（40）とを備え、前記第１インペラ（30）及び前記第２インペラ（40）が双方向に回転可能であり、各前記第１動翼（32）の周方向断面形状が、前記第２動翼（42）側に凸状になっており、各前記第２動翼（42）の周方向断面形状が、前記第１動翼（32）側に凸状になっている。このような軸流ファン（10）では、第１インペラ（30）及び第２インペラ（40）が回転する際に、風上側のインペラ（30,40）よりも、風下側のインペラ（30,40）の方が強い空気流れを生成する。換言すると、風上側のインペラ（30,40）が生成する空気流れは、風下側のインペラ（30,40）が生成する空気流れよりも弱い。このため、風上側のインペラ（30,40）により生成された空気流れが風下側のインペラ（30,40）に干渉することに起因する音が生じにくい。換言すると、軸流ファン（10）で発生する音を抑制することができる。
【００４５】
また、本実施形態の軸流ファン（10）は、各前記第１動翼（32）の周方向断面形状が、一端部の曲率半径（R1）が他端部の曲率半径（R2）よりも大きく、かつ軸方向において一端部が他端部よりも前記第２動翼（42）側に位置しており、各前記第２動翼（42）の周方向断面形状が、一端部の曲率半径（R1）が他端部の曲率半径（R2）よりも大きく、かつ軸方向において一端部が他端部よりも前記第１動翼（32）側に位置している。このような構成によると、風下側のインペラ（30,40）は、風上側のインペラ（30,40）が生成した空気流れを、大きい曲率半径（R1）を有する端部（一端部）で受ける。この場合、小さい曲率半径（R2）を有する端部（他端部）で当該空気流れを受ける場合よりも音が発生しにくい。したがって、軸流ファン（10）で発生する音をより一層抑制することができる。
【００４６】
また、本実施形態の軸流ファン（10）は、前記第１動翼（32）の数と、前記第２動翼（42）の数とが、互いに等しい。したがって、両インペラ（30,40）が一方向に回転する場合の軸流ファン（10）の性能と、両インペラ（30,40）が他方向に回転する場合の軸流ファン（10）の性能とを、互いに実質的に等しくしやすい。
【００４７】
また、本実施形態の軸流ファン（10）は、前記第１動翼（32）の形状と、前記第２動翼（42）の形状とが、互いに同じであり、前記第１動翼（32）の翼弦線（33）と、前記第２動翼（42）の翼弦線（43）とが、任意の周方向断面において互いに平行である。したがって、両インペラ（30,40）が一方向に回転する場合の軸流ファン（10）の性能と、両インペラ（30,40）が他方向に回転する場合の軸流ファン（10）の性能とを、互いに実質的に等しくしやすい。
【００４８】
また、本実施形態の軸流ファン（10）は、前記第１動翼（32）の数と、前記第２動翼（42）の数とが、互いに等しく、前記第１動翼（32）の形状と、前記第２動翼（42）の形状とが、互いに同じであり、前記第１動翼（32）の翼弦線（33）と、前記第２動翼（42）の翼弦線（43）とが、任意の周方向断面において互いに平行である。このような構成によると、第１インペラ（30）と第２インペラ（40）とを共通の部品として製造することができる。したがって、軸流ファン（10）の製造コストを抑制することができる。
【００４９】
（実施形態２）
実施形態２について説明する。本実施形態の軸流ファン（100）は、双方向回転型の軸流ファンであって、回転軸線（O）の軸方向の両側へ空気を吹き出す。軸流ファン（100）は、例えば、吸排気可能な換気装置（図示せず）に設けられる。ただし、軸流ファン（100）の用途は、これに限らない。
【００５０】
図４に示すように、軸流ファン（100）は、ケーシング（101）と、第１インペラ（110）と、第１モータ（120）と、第２インペラ（130）と、第２モータ（140）とを備える。
【００５１】
ケーシング（101）は、回転軸線（O）の軸方向に延びる筒状に形成される。ケーシング（101）の内周壁は、回転軸線（O）を中心とする円筒面状になっている。ケーシング（101）は、第１インペラ（110）、第１モータ（120）、第２インペラ（130）及び第２モータ（140）を収容する。
【００５２】
第１インペラ（110）は、回転軸線（O）を中心として回転可能である。図４及び図５に示すように、第１インペラ（110）は、第１動翼ハブ（111）と、複数（この例では、３つ）の第１動翼（112）とを備える。
【００５３】
第１モータ（120）は、第１インペラ（110）を回転駆動する。第１モータ（120）は、軸方向に延びる駆動軸（121）を有する。駆動軸（121）の一端部は、第１インペラ（110）に接続される。具体的には、第１インペラ（110）の第１動翼ハブ（111）が、駆動軸（121）の一端部に接続され、回転軸線（O）を中心として回転駆動される。第１モータ（120）は、周方向に並んで複数設けられた板状の支持ステー（122）を介してケーシング（101）の内周壁に固定される。
【００５４】
第２インペラ（130）は、回転軸線（O）を中心として回転可能である。図４及び図６に示すように、第２インペラ（130）は、第２動翼ハブ（131）と、複数（この例では、３つ）の第２動翼（132）とを備える。
【００５５】
第２モータ（140）は、第２インペラ（130）を回転駆動する。第２モータ（140）は、軸方向に延びる駆動軸（141）を有する。駆動軸（141）の一端部は、第２インペラ（130）に接続される。具体的には、第２インペラ（130）の第２動翼ハブ（131）が、駆動軸（141）の一端部に接続され、回転軸線（O）を中心として回転駆動される。第２モータ（140）は、周方向に並んで複数設けられた板状の支持ステー（142）を介してケーシング（101）の内周壁に固定される。
【００５６】
以上のように、第１インペラ（110）と第２インペラ（130）とは同軸上に設けられる。尚、本実施形態では、第１インペラ（110）と第２インペラ（130）とがモータを挟まずに対面するように第１モータ（120）及び第２モータ（140）を配置したが、これに代えて、第１モータ（120）及び第２モータ（140）の少なくとも一方を挟んで第１インペラ（110）と第２インペラ（130）とを同軸上に配置してもよい。
【００５７】
図５に示すように、第１インペラ（110）において、複数の第１動翼（112）は、第１動翼ハブ（111）の外周に設けられ、所定の間隔をおいて周方向に配列される。具体的には、複数の第１動翼（112）は、板状に形成され、第１動翼ハブ（111）の外周面から径方向外側へ突出している。換言すると、複数の第１動翼（112）は、第１動翼ハブ（111）から径方向外側へ放射状に延びている。複数の第１動翼（112）の外周面は、回転軸線（O）を包囲する円筒面状（具体的には、回転軸線（O）を中心として軸方向に延びる円筒面状）に形成される。
【００５８】
また、図６に示すように、第２インペラ（130）において、複数の第２動翼（132）は、第２動翼ハブ（131）の外周に設けられ、所定の間隔をおいて周方向に配列される。具体的に、複数の第２動翼（132）は、板状に形成され、第２動翼ハブ（131）の外周面から径方向外側へ突出している。換言すると、複数の第２動翼（132）は、第２動翼ハブ（131）から径方向外側へ放射状に延びている。複数の第２動翼（132）の外周面は、回転軸線（O）を包囲する円筒面状（具体的には、回転軸線（O）を中心として軸方向に延びる円筒面状）に形成される。
【００５９】
尚、図７に示すように、第１動翼（112）の翼弦線（113）と第２動翼（132）の翼弦線（133）とは、軸方向に垂直な面に対して互いに異なる向きに傾斜し、第１インペラ（110）と第２インペラ（130）とは、互いに逆方向に回転する。
【００６０】
具体的には、第１インペラ（110）において、各第１動翼（112）は、軸方向に空気が搬送されるように、その翼弦線（113）が周方向（第１インペラ（110）の回転方向、つまり、軸方向に対して垂直な面）に対して傾斜した状態で、径方向外側から見て回転軸線（O）の周方向に対して反時計回りに傾斜している。一方、各第２動翼（132）は、軸方向に空気が搬送されるように、その翼弦線（133）が周方向（第２インペラ（130）の回転方向、つまり、軸方向に対して垂直な面）に対して傾斜した状態で、径方向外側から見て回転軸線（O）の周方向に対して時計回りに傾斜している。
【００６１】
このため、第１インペラ（110）が正面（第２インペラ（130）側）から見て時計回り方向（図７において実線矢印で示す回転方向）に回転すると共に第２インペラ（130）が正面（第１インペラ（110）側）から見て時計回り方向（図７において実線矢印で示す回転方向）に回転すると、図７において実線矢印で示す流れ方向に空気が搬送される。すなわち、この場合、第１インペラ（110）が上流側に位置し、第２インペラ（130）が下流側に位置する。
【００６２】
一方、第１インペラ（110）が正面から見て反時計回り方向（図７において破線矢印で示す回転方向）に回転すると共に第２インペラ（130）が正面から見て反時計回り方向（図７において破線矢印で示す回転方向）に回転すると、図７において破線矢印で示す流れ方向に空気が搬送される。すなわち、この場合、第２インペラ（130）が上流側に位置し、第１インペラ（110）が下流側に位置する。
【００６３】
−各動翼の形状−
図５〜図７を参照して、各第１動翼（112）及び各第２動翼（132）の形状について説明する。
【００６４】
ここで、図５は、第１インペラ（110）を正面（第２インペラ（130）側）から見た平面図であり、図６は、第２インペラ（130）を正面（第１インペラ（110）側）から見た平面図である。換言すると、第１インペラ（30）と第２インペラ（40）とは、互いに鏡面対称な形状を持つ。
【００６５】
図５に示すように、各第１動翼（112）は、平面視で概ね扇状に形成される。平面視において、周方向に隣り合う第１動翼（112）の間には、所定の隙間が形成される。また、図６に示すように、各第２動翼（132）は、平面視で概ね扇状に形成される。平面視において、周方向に隣り合う第２動翼（132）の間には、所定の隙間が形成される。
【００６６】
図７に示すように、第１動翼（112）の周方向断面形状は、第２動翼（132）側に凸状の湾曲形状になっている。第１動翼（112）の周方向断面形状は、一端部（第２動翼（132）側の端部）の曲率半径（R1）が、他端部（第２動翼（132）の反対側の端部）の曲率半径（R2）よりも大きい。また、図７に示すように、第２動翼（132）の周方向断面形状は、第１動翼（112）側に凸状の湾曲形状になっている。第２動翼（112）の周方向断面形状は、一端部（第１動翼（112）側の端部）の曲率半径（R1）が、他端部（第１動翼（112）の反対側の端部）の曲率半径（R2）よりも大きい。
【００６７】
−実施形態２の効果−
以上に説明したように、本実施形態の軸流ファン（100）によると、周方向に並んだ複数の第１動翼（112）を有する第１インペラ（110）と、第１インペラ（110）と同軸に設けられ且つ周方向に並んだ複数の第２動翼（132）を有する第２インペラ（130）とを備え、第１インペラ（110）及び第２インペラ（130）が双方向に回転可能であり、各第１動翼（112）の周方向断面形状が、第２動翼（132）側に凸状になっており、各第２動翼（132）の周方向断面形状が、第１動翼（112）側に凸状になっている。このような軸流ファン（100）では、第１インペラ（110）及び第２インペラ（130）が回転する際に、風上側（上流側）のインペラ（110,130）よりも、風下側（下流側）のインペラ（110,130）の方が強い空気流れを生成する。換言すると、風上側のインペラ（110,130）が生成する空気流れは、風下側のインペラ（110,130）が生成する空気流れよりも弱い。このため、風上側のインペラ（110,130）により生成された空気流れが風下側のインペラ（110,130）に干渉することに起因する音が生じにくい。換言すると、軸流ファン（100）で発生する音を抑制することができる。
【００６８】
また、本実施形態の軸流ファン（100）において、各第１動翼（112）の周方向断面形状については、一端部の曲率半径（R1）が他端部の曲率半径（R2）よりも大きく且つ軸方向において一端部が他端部よりも第２動翼（132）側に位置している。また、各第２動翼（132）の周方向断面形状については、一端部の曲率半径（R1）が他端部の曲率半径（R2）よりも大きく且つ軸方向において一端部が他端部よりも第１動翼（112）側に位置している。このような構成によると、風下側のインペラ（110,130）は、風上側のインペラ（110,130）が生成した空気流れを、大きい曲率半径（R1）を有する端部（一端部）で受ける。この場合、小さい曲率半径（R2）を有する端部（他端部）で当該空気流れを受ける場合よりも音が発生しにくい。したがって、軸流ファン（100）で発生する音をより一層抑制することができる。
【００６９】
また、本実施形態の軸流ファン（100）において、第１動翼（112）の数と、第２動翼（132）の数とが、互いに等しい。従って、両インペラ（110,130）により一方向の空気流れが生じる場合の軸流ファン（100）の性能と、両インペラ（110,130）により他方向の空気流れが生じる場合の軸流ファン（100）の性能とを、互いに実質的に等しくしやすい。
【００７０】
また、本実施形態の軸流ファン（100）において、第１動翼（112）の翼弦線（113）と第２動翼（132）の翼弦線（133）とは、軸方向に垂直な面に対して互いに異なる向きに傾斜し、第１インペラ（110）と第２インペラ（130）とは、互いに逆方向に回転する。このようにすると、上流側の動翼（112,132）は、凸面側に回転し、下流側の動翼（112,132）は、上流側の動翼（112,132）に対して逆方向に回転する。このため、上流側の動翼（112,132）で一定の昇圧効果を得られると共に、例えば、図８に示すように、上流側の動翼（112,132）の後流は、下流側の動翼（112,132）に対する予旋回流れとなる。従って、下流側の動翼（112,132）に流入する空気流れの相対速度が大きくなる結果、大きな昇圧効果が得られるので、インペラ（110,130）の回転数を下げることが可能となり、さらなる低騒音化を実現できる。尚、図８では、第１動翼（112）が上流側に位置する場合を例示しているが、第２動翼（132）が上流側に位置する場合も、同様である。
【００７１】
図９は、本実施形態の軸流ファン（100）における予旋回流れの効果を示す図である。図９に示すように、第１インペラ（110）のみを駆動した場合に得られる静圧（図９の「３」）と、第２インペラ（130）のみを駆動した場合に得られる静圧（図９の「２」）とを合計した静圧（図９の「２＋３」）よりも、本実施形態の軸流ファン（100）により得られる静圧（図９の「１」）の方が、予旋回流れの効果によって大きくなっている。
【００７２】
また、本実施形態の軸流ファン（100）において、第１インペラ（110）と第２インペラ（130）とは、互いに鏡面対称な形状を持つ。これにより、両インペラ（110,130）により一方向の空気流れが生じる場合の軸流ファン（100）の性能と、両インペラ（110,130）により他方向の空気流れが生じる場合の軸流ファン（100）の性能とを、互いに実質的に等しくしやすい。
【００７３】
尚、本実施形態の軸流ファン（100）において、第１インペラ（110）と第２インペラ（130）とは、互いに異なる回転数で回転してもよい。このようにすると、第１動翼（112）の数と第２動翼（132）の数とが異なる場合や、第１動翼（112）の形状と第２動翼（132）の形状とが異なる場合に、両インペラ（110,130）により一方向の空気流れが生じる場合の軸流ファン（100）の性能と、両インペラ（110,130）により他方向の空気流れが生じる場合の軸流ファン（100）の性能とを互いに実質的に等しくすることができる。
【００７４】
第１インペラ（110）と第２インペラ（130）とを互いに異なる回転数で回転させる場合、第１インペラ（110）及び第２インペラ（130）のうち上流側に位置するインペラの方が、下流側に位置するインペラよりも小さい回転数で回転してもよい。このようにすると、上流側のインペラが生成する空気流れが、下流側のインペラと干渉する度合いを低減できるので、さらなる低騒音化を実現できる。ここで、第１インペラ（110）と第２インペラ（130）とが互いに鏡面対称な形状を持つ場合、上流側に位置するインペラの回転数と、下流側に位置するインペラの回転数との比を、１：１．２程度から１：１．３程度に設定してもよい。
【００７５】
下表は、本実施形態で両インペラ（110,130）を同じ回転数で回転させた場合を「実施例１」、本実施形態で上流側に位置するインペラ（110,130）を下流側に位置するインペラ（110,130）よりも小さい回転数で回転させた場合を「実施例２」、実施例１で各第１動翼（112）の周方向断面形状を第２動翼（132）側に凹状にし且つ各第２動翼（132）の周方向断面形状を第１動翼（112）側に凹状して両インペラ（110,130）を同じ方向に回転させた場合を「比較例」として、各例の軸流ファンにおいて同じ風量−静圧を得るために必要なインペラ回転数と、その際に生じる送風音（騒音）とを示す。
【００７６】
【表１】
0006756412.tif 000002
【００７７】
表１に示すように、実施例１、２のいずれの場合も、比較例よりもインペラ回転数も送風音も小さくできている。また、両インペラを同じ回転数で回転させた実施例１と比べて、上流側に位置するインペラを下流側に位置するインペラよりも小さい回転数で回転させた実施例２の方が、送風音を低く抑制できている。一方、比較例では、上流側に位置するインペラの動翼後縁の乱れた後流が、下流側に位置するインペラの動翼の後縁側に衝突するために、送風音が大きくなっている。
【００７８】
また、本実施形態の軸流ファン（100）において、第１インペラ（110）及び第２インペラ（130）のそれぞれに対して、別体のモータ（120,140）が同軸上に設けられる。これにより、第１インペラ（110）と第２インペラ（130）とを互いに異なる回転数で回転させることが容易になる。
【００７９】
《その他の実施形態》
前記各実施形態については、以下のような構成としてもよい。
【００８０】
例えば、各動翼（32,42,112,132）の周方向断面形状は、一端部の曲率半径（R1）と他端部の曲率半径（R2）とが互いに実質的に等しくてもよい。さらに、各動翼（32,42,112,132）の周方向断面形状は、一端部の曲率半径（R1）が他端部の曲率半径（R2）よりも小さくてもよい。
【００８１】
また、例えば、各第１動翼（32,112）の数と各第２動翼（42,132）の数とが、互いに異なってもよい。
【００８２】
また、前記実施形態１において、例えば、第１動翼（32）の形状と第２動翼（42）の形状とが、互いに異なってもよい。
【００８３】
また、前記実施形態２において、例えば、第１インペラ（110）と第２インペラ（130）とは、互いに鏡面対称な形状でなくてもよい。
【００８４】
また、前記実施形態２において、例えば、第１インペラ（110）及び第２インペラ（130）を同一のモータで回転させてもよい。この場合、例えば、遊星ギアを用いて、第１インペラ（110）と第２インペラ（130）とを互いに異なる回転数で回転させてもよい。
【００８５】
以上、実施形態及び変形例を説明したが、特許請求の範囲の趣旨及び範囲から逸脱することなく、形態や詳細の多様な変更が可能なことが理解されるであろう。また、以上の実施形態及び変形例は、本開示の対象の機能を損なわない限り、適宜組み合わせたり、置換したりしてもよい。
【産業上の利用可能性】
【００８６】
以上説明したように、本開示は、軸流ファンについて有用である。
【符号の説明】
【００８７】
10,100  軸流ファン
21,120,140  モータ
30,110  第１インペラ
32,112  第１動翼
33,113  翼弦線
40,130  第２インペラ
42,132  第２動翼
43,133  翼弦線
R1,R2  曲率半径
【要約】
【課題】２つのインペラを備える軸流ファンで発生する音を抑制する。
【解決手段】軸流ファン（10,100）は、周方向に並んだ複数の第１動翼（32,112）を有する第１インペラ（30,110）と、第１インペラ（30,110）と同軸に設けられ、周方向に並んだ複数の第２動翼（42,132）を有する第２インペラ（40,130）とを備える。第１インペラ（30,110）及び前記第２インペラ（40,130）は、双方向に回転可能である。各第１動翼（32,112）の周方向断面形状は、第２動翼（42,132）側に凸状になっている。各第２動翼（42,132）の周方向断面形状は、第１動翼（32,112）側に凸状になっている。
【選択図】図３【図１】
0006756412.tif 000003
【図２】
0006756412.tif 000004
【図３】
0006756412.tif 000005
【図４】
0006756412.tif 000006
【図５】
0006756412.tif 000007
【図６】
0006756412.tif 000008
【図７】
0006756412.tif 000009
【図８】
0006756412.tif 000010
【図９】
0006756412.tif 000011